(57)【要約】【課題】複数の表示を同一の表示部において選択的に表示可能とし、且つ安価な表示装置を提供することを目的とする。【解決手段】発光波長特性が互いに異なる複数の光源と、各光源からの光を透過させる透光材と、各光源からの光を遮断する遮光材と、各光源からの光のうち少なくとも一つを吸収し、かつ、他の光源からの光を透過させる選択透光材とを具備し、上記透光材、遮光材および選択透光材を組み合わせることにより、所望の図柄を表示する（描く）ようにして上記透光材を基材としてその表面を上記遮光材および選択透光材を組み合わせて配置した表示部と、各光源からの光を散乱する光拡散部材を具備した。【選択図】    図２
2004251954.tif 000002
【特許請求の範囲】
【請求項１】
発光波長特性が互いに異なる複数の光源と、
各光源からの光を透過させる透光材と、
各光源からの光を遮断する遮光材と、
各光源からの光のうち少なくとも一つを吸収し、かつ、他の光源からの光を透過させる選択透光材とを具備し、
上記透光材、遮光材および選択透光材を組み合わせることにより、所望の図柄を表示するようにしたことを特徴とする表示装置。
【請求項２】
上記透光材を基材とし、その表面に上記遮光材および選択透光材を組み合わせて配置することにより、所望の図柄を表示するようにしたことを特徴とする請求項１記載に表示装置。
【請求項３】
上記透光材、遮光材および選択透光材と上記複数の光源との間に、各光源からの光を拡散させる光拡散部材を設けたことを特徴とする請求項１乃至請求項２記載の表示装置。
【請求項４】
上記表示装置は、防犯システムに用いられることを特徴とする請求項１乃至請求項３記載の表示装置。
【請求項５】
上記表示装置は、防犯システムの制御装置の表示部に用いられることを特徴とする請求項１乃至請求項４記載の表示装置。
【請求項６】
上記表示装置は、上記防犯システムの警備用端末装置または警備用端末中継器に用いられることを特徴とする請求項１乃至請求項４記載の表示装置。
【請求項７】
上記表示装置は、少なくとも警備状態である旨の表示と警備状態でない旨の表示を行うようにしたことを特徴とする請求項１乃至請求項６記載の表示装置。
【請求項８】
上記警備用端末装置のうち少なくとも一つがフロアーあるい玄関等の出入り口に設置される電気錠あり、且つ上記表示装置は、該電気錠の表示部に用いられることを特徴とする請求項１乃至請求項６記載の表示装置。
【請求項９】
上記表示装置は、少なくとも施錠状態である旨の表示と施錠状態でない旨の表示を行うようにしたことを特徴とする請求項８記載の表示装置。
【発明の詳細な説明】
【０００１】
【発明の属する技術分野】
本発明は、特に、互いに異なる所望の図柄を選択表示することにより、それぞれ異なる状態を表示する表示装置に関するものである。
【０００２】
【従来の技術】
従来、テナントビルディング等の警備システムにおいては、夜間等の警備時間帯になると通常、警備員によって警備用端末装置（以下これを端末装置と称する）を操作することにより入出管理等の警備を行っていた。
【０００３】
例えば図６に示すような警備用端末装置がある。図６（ｇ）に示すように、ビルディングあるいは各フロアーの出入口等には端末装置が設置されており、ボタンやキー等による操作あるいは遠隔操作等により夜間の警備が開始される（警備状態となる）。その際、端末装置は、該装置に設けられた警備中であることを示す表示部プレート（以下、「表示部」と称する）により「警備中」と点灯表示される。
【０００４】
このように表示部は警備員の操作により警備が開始され、警備開始の操作が行われると警備端末装置に内蔵されたＬＥＤが点灯し、「警備中」と記されたシルク文字部を透過して、「警備中」と点灯表示する構成となっている。
【０００５】
【先行技術文献１】
実開平３−７８３９１（第１図、第３図）
【０００６】
前記文献１は、カード式出入管理装置の構成及びシステムについて記載されており、第１図及び第３図が実施例として図示されている。
【０００７】
あるいは図６（ｈ）に示すようにシルク文字等によって「警備中」を表示する表示部と「解除中」を表示する表示部を設け、警備状態に移行する前は「解除中」の表示部を点灯表示させ、警備状態に移行すると「警備中」と表示部を点灯表示させて２つの表示を選択的に点灯表示させる端末装置もあった。
【０００８】
【発明が解決しようとする課題】
しかし、上述したような端末装置においては、次のような問題がある。例えば、図６（ｇ）の場合には、警備員以外の者が端末装置の操作を余儀なくされた場合には、不慣れである為、端末装置の表示部が「警備中」と点灯表示された状態が警備状態が開始された事を示しているという事が理解できたとしても、消灯している状態が警備解除中であることを示している事を理解し難いという問題があった。
【０００９】
また、図６（ｈ）の場合には、警備中であることと、警備解除中であることを理解し易いが、その反面、端末装置全体において表示部のスペースの占有率が高い為、小型化に障害となる。
【００１０】
例えばカラー液晶等による表示方法を用いれば上述した問題は解決できるが、この場合高価となってしまう。
【００１１】
【課題を解決するための手段】
本発明は、上記のような問題を解決する為、複数の表示を同一の表示部において選択的に表示可能とし、且つ安価な表示装置を提供することを目的とする。
【００１２】
上記目的を達成する為本発明は、請求項１乃至請求項２記載の表示装置において、発光波長特性が互いに異なる複数の光源と、各光源からの光を透過させる透光材と、各光源からの光を遮断する遮光材と、各光源からの光のうち少なくとも一つを吸収し、かつ、他の光源からの光を透過させる選択透光材とを具備し、上記透光材、遮光材および選択透光材を組み合わせることにより、所望の図柄を表示するようにして上記透光材を基材とし、その表面に上記遮光材および選択透光材を組み合わせて配置することにより、所望の図柄を表示するようにしたことを特徴とする。
【００１３】
更に請求項３記載において本発明は、請求項１乃至請求項２記載の表示装置の上記透光材、遮光剤および選択透光材と上記複数の光源との間に、各光源からの光を拡散させる光拡散部材を設け、選択された透過光が一様かつ鮮明に表示できるようにしたことを特徴とする。
【００１４】
【発明の実施の形態】
以下、本発明の実施の形態を、テナントビルディング等の警備システムにおける入出管理等の（警備用）端末装置として使用した場合について図面を用いて説明する。図１は、本発明の一例を示す端末装置（１）の正面図である。図において、３は端末装置１の警備状態を開始または解除する操作を行う際のカードキー挿入部であり、２はその操作によって「警備中」または「解除中」のいずれかに表示制御される表示部である。４は警備端末装置１の筐体である。Ｅ−Ｆ線部は後述する図４及び図５の表示装置１００を説明する為の切断部を示す。
【００１５】
夜間になると警備員は、警備を開始する為に端末装置１が設置された場所へ赴き、カードキーの挿入操作によって警備状態を開始させる。端末装置１は、前記操作により表示部２の警備状態開始制御やその他中央監視制御装置への警備状態開始信号送信等の制御を行い、夜間における警備システム上の重要な各種制御が開始される。
【００１６】
表示部２は、図４に示すように所謂光の各発光波長特性の異なる複数のバンドパスフィルターの組み合わせから構成されており、警備状態開始の制御がなされると、筐体４に内蔵された表示装置１００の緑色発光ＬＥＤ１１ａ及び橙色発光ＬＥＤ１１ｂのうち、緑色発光ＬＥＤ１１ａが点灯する。すなわち表示部２は「警備中」と緑色に点灯表示する。
【００１７】
翌朝になると、警備員は警備状態を解除する為に再度端末装置１の場所へ赴き、カードキー挿入操作によって警備状態を解除する。端末装置１は、前記操作により表示部２の警備解除制御やその他中央監視制御装置への警備解除信号送信等の制御を行い昼間の警備システムに移行する。
【００１８】
この際表示部２は、図５に示すように「警備中」の緑色点灯表示状態から、警備状態解除の制御信号により前記緑色発光ＬＥＤ１１ａが消灯し、橙色発光ＬＥＤ１１ｂが点灯する。すなわち表示部２は「解除中」の橙色点灯表示に切り替わる。
【００１９】
次にこの表示装置１００の構成及び動作について図３乃至図５を用いて詳細に説明する。図３において図（ａ）及び図（ｂ）はそれぞれ従来のシルク文字等によって構成される文字部「警備中」及び「解除中」を示す表示部である。
【００２０】
図（ａ＋ｂ）が本発明おける表示装置１’の表示部２であり、図中の文字部「中」は各光源からの光を透過させる部材から形成されており、すなわち本発明の透光材である。また図（ａ＋ｂ）の長方形の黒塗部は各光源から光を遮断する部材によって形成されており、すなわち本発明の遮光材である。
【００２１】
図（ａ＋ｂ）’は本発明の構成をわかり易く説明する為に、図（ａ＋ｂ）の一部を拡大した図であるが、説明の都合上、本図（ａ＋ｂ）’においては、上記黒塗りした遮光材部分を斑点模様（薄墨部）に変更し、文字部「解除」を黒塗部とした。
【００２２】
また図（ａ＋ｂ）’において文字部「警」と文字部「解」が重合する部分および、文字部「備」と文字部「除」が重合する部分は、警備状態時すなわち緑色発光ＬＥＤ１１ａ発光時の緑色光波長領域と警備解除時すなわち橙色発光ＬＥＤ１１ｂ発光時の橙色光波長領域の異なる２種類の波長領域の光のみを透過するバンドパスフィルターであり、本発明の選択透光材である。（以下これをバンドパスフィルターＣと称する）。
【００２３】
前記文字部「警備」と「解除」の重合する部分以外であって且つ文字部「警備」の部分は、警備状態時すなわち緑色発光ＬＥＤ１１ａ発光時の該緑色光のみを透過するバンドパスフィルターであり、本発明の選択透光材である。（以下これをバンドパスフィルターＡと称する）。
【００２４】
また、前記文字部「警備」と「解除」の重合する部分以外であって且つ文字部「解除」の部分は、警備解除時すなわち橙色発光ＬＥＤ１１ｂ発光時の該橙色光のみを透過するバンドパスフィルターであり、本発明の選択透光材である。（以下これをバンドパスフィルターＢと称する）。
【００２５】
図４は、本発明の表示装置１００の簡略構成図であり、警備状態時の説明図である。前記緑色発光ＬＥＤ１１ａと前記橙色発光ＬＥＤ１１ｂを隣接載置した表示装置回路部（ＰＣＢ）１２と、表示部２と、前記緑色光ＬＥＤ１１ａまたは前記橙色ＬＥＤ１１ｂから放出される光を表示部２へ一様且つ鮮明に表示する為の光拡散部材１３とから構成されている。尚、図４及び後述の図５の表示部２は、実際は各透光材、選択透光材と遮光材の組み合わせにより構成されているが、説明上簡略して記載している。
【００２６】
図５は、本発明の表示装置１００の簡略構成図であり、警備状態解除時の説明図である。尚、橙色発光光線を示す一点鎖線の矢印以外の各構成要素は、全て図４と同じであるので番号及び記号を省略した。
【００２７】
警備状態が開始されると、前記緑色発光ＬＥＤ１１ａが点灯発光し、拡散板１３において散乱され、表示部２に一様に照射される。表示部２に照射された緑色光は、遮光部材５及びバンドパスフィルターＢでは透過せずに遮蔽され、バンドパスフィルターＡ及びバンドパスフィルターＣ及び図示しない透光部材（文字部「中」）を透過する。
【００２８】
警備状態が解除されると、前記橙色発光ＬＥＤ１１ｂが点灯発光し、光拡散部材１３において散乱され、表示部２に一様に照射される。表示部に照射された橙色光は、遮光部材５及びバンドパスフィルターＡでは透過せずに遮蔽され、バンドパスフィルターＢ及びバンドパスフィルターＣ及び図示しない透光部材（文字部「中」）を透過する。
【００２９】
尚、本発明の実施例において、文字部「中」を透光材としたが、この部分を緑色光及び橙色光両方を透過するバンドパスフィルタ−Ｃを用いても同様であるし、文字部「警備」と文字部「解除」の重合部分を透光材とする事も可能である。
【００３０】
すなわち、文字部「警備」と文字部「解除」の重合部分と、文字部「中」のそれぞれについて透光材を用いるか或いはバンドパスフィルターＣを用いるかを決定することも、それらの組み合わせ方法を決定することについても適時変更可能である。
【００３１】
また光拡散部材においては従来から知られている光散乱粒子を混入したものでも良いし、光拡散部材（光拡散板）の受光面及び発光面に微細な刻みを入れることによって光を散乱させても良い。
【００３２】
尚、本発明の実施例において説明上、表示部２の透光材、選択透光材及び遮光材を各ブロック毎に分割し、光拡散部材を表示部と隔離して記載したが、これに限定されない。
【００３３】
例えば光拡散部材と透光材及び選択透光材の各プレートを重ね合わせることによって表示部の一部を形成し、遮光材と組み合わせて表示部を形成することも可能であるし、同様に所望の表示に応じて光の透過・遮蔽を実現可能とする樹脂成型技術により、本発明の透光材、選択透光材、遮光材及び光拡散部材を組み合わせて一つの表示部とする事も可能である。
【００３４】
図２は、本発明の他の実施の形態を示す図であり、大部分を表示部が占有し、且つ表示部２の外郭が透光材６で形成されており、デザイン上の制約を受ける場合や小型化が要求される場合に遠隔操作によって警備状態の表示を可能とした表示装置の一例であり、構成及び動作について相違ない。
【００３５】
また本発明においては警備用端末装置の表示装置として実施の形態を記載したが、この分野に限らず、ドアの開閉を表示する表示装置としてもあるいはホール等の出入り口において使用中であるか否かを表示する表示装置としても適時応用可能である。
【００３６】
【発明の効果】
本発明の効果は以上の説明から明らかなように、複数の表示を同一の場所に選択的に表示可能で且つ安価に製作できるという優れた効果を有する表示装置を提供することができる。
【図面の簡単な説明】
【図１】本発明に実施の形態を示す表示装置の正面図である。
【図２】本発明の他の実施の形態を表示装置の正面図である。
【図３】本発明の実施の形態を示す表示装置の表示部を説明する為の図である。
【図４】本発明の実施の形態を示す表示装置の構成を説明する為の図である。
【図５】本発明の実施の形態を示す表示装置の構成を説明する為の図である。
【図６】従来の実施の形態を示す表示装置の正面図である。
【符号の説明】
１、１’  警備用端末装置
２  表示部（表示プレート）
３  カードキー挿入部
４  筐体
５  遮光材（遮光部材）
６  透光材（透光部材）
１１ａ  緑色発光ＬＥＤ
１１ｂ  橙色発光ＬＥＤ
１２  回路基板（ＰＣＢ）
１３  光拡散板（光拡散部材）
Ａ、Ｂ、Ｃ  選択透光材（バンドパスフィルター）
【図１】
2004251954.tif 000003
【図２】
2004251954.tif 000004
【図３】
2004251954.tif 000005
【図４】
2004251954.tif 000006
【図５】
2004251954.tif 000007
【図６】
2004251954.tif 000008